(57)【要約】【課題】段差を解消するために大きな面積の低床面を必要とせず、よりバリアフリーを実現可能であるとともに、風によってめくれ上がり難い段差解消部材を提供する。【解決手段】段差解消部材は、低い床面である低床面３０ａと高い床面である高床面３０ｂとが段差Ｄを有する場合、高床面３０ｂ側から低床面３０ａ側に向かって下り傾斜する傾斜面８ａを備えている。傾斜面８ａの下方には、高床面３０ｂに向かう後方ほど容積が大きくなり、背後が開口７ｂによって開放された空間９が形成されている。また、傾斜面８ａは、前端に切り欠かれて低床面３０ａとの間で開口を形成し、風を空間９に案内する通気口８ｂと、通気口８ｂより後方に貫設され、風を空間９から排出する第１〜４排気口８ｃ、８ｄ、８ｅ、８ｆとを有している。【選択図】図４
2005256501.tif 000002
【特許請求の範囲】
【請求項１】
低い床面である低床面と高い床面である高床面とが段差を有する場合、該高床面側から該低床面側に向かって下り傾斜する傾斜面を備えた段差解消部材において、
前記傾斜面の下方には、前記高床面に向かう後方ほど容積が大きくなり、背後が開放された空間が形成され、
該傾斜面は、前端に切り欠かれて前記低床面との間で開口を形成し、風を該空間に案内する通気口と、該通気口より後方に貫設され、風を該空間から排出する排気口とを有することを特徴とする段差解消部材。
【請求項２】
前記排気口は後方に向かう程開口面積が大きいことを特徴とする請求項１記載の段差解消部材。
【請求項３】
前記排気口は前記低床面に直交する方向に貫設されていることを特徴とする請求項２記載の段差解消部材。
【請求項４】
複数枚のパネルと、各該パネルの裏面に設けられて各該パネルを整列状態で連結する連結部とからなる床パネルユニットによって前記高床面が形成される場合、前記傾斜面を形成する傾斜板は、両端の側板と、背面を形成する背板とともに一体に形成され、該背面が該連結部に着脱可能に構成されていることを特徴とする請求項１乃至３のいずれか１項記載の段差解消部材。
【請求項５】
前記側板が互いに着脱可能に構成されていることを特徴とする請求項４記載の段差解消部材。
【発明の詳細な説明】
【技術分野】
【０００１】
本発明は、床面が段差を有する場合、その段差を解消する段差解消部材に関する。
【背景技術】
【０００２】
低い床面である低床面と高い床面である高床面とが段差を有する場合、段差解消部材が用いられ得る。この段差解消部材は、高床面側から低床面側に向かって下り傾斜する傾斜面を備えている。従来の段差解消部材としては、特許文献１〜３開示のものが知られている。
【０００３】
特許文献１、２開示の段差解消部材は、ベランダに床材を載置することにより段差が生じる場合に用いられるものである。ベランダの上面が低床面を構成し、床材の上面が高床面を構成する。これらの段差解消部材は、低床面と床材との間に設けられる下板と、床材の上面に設けられる上板とを備えており、下板の一端が上板の一端よりも延びている。また、これらの段差解消部材は、下板の一端及び上板の一端との間に傾斜板を備えており、この傾斜板の上面が高床面側から低床面側に向かって下り傾斜する傾斜面になっている。これらの段差解消部材は、下板の他端と上板の他端との間に床材を挿入することによって用いられ、これによって傾斜面が段差を低床面側に向かって徐々に小さくして解消することから、バリアフリーを実現することができる。また、これらの段差解消部材は、強風が吹いた際、傾斜面が特定の傾斜角を有していることによりめくれ上がり難く、これにより床材の飛散を防止することもできる。
【０００４】
また、特許文献３開示の段差解消部材は、ベランダやバルコニー等の床面に床タイルユニット等の床パネルユニットを載置することにより段差が生じる場合に用いられるものである。床パネルユニットは、複数枚のタイル等のパネルと、各パネルの裏面に設けられて各パネルを整列状態で連結する連結部とからなる。ベランダ等の上面が低床面を構成し、床パネルユニットの上面が高床面を構成する。この段差解消部材は、適宜な間隔を空けて配置された脚部と、脚部間に架け渡された傾斜板とを備えている。傾斜板の上面が高床面側から低床面側に向かって下り傾斜する傾斜面になっている。この傾斜板は脚部によって低床面との間に隙間を形成しており、傾斜板の下方には高床面に向かう後方ほど容積が大きくなる空間が形成されている。また、傾斜板の高床面側には、低床面との間に形成される隙間から流入した風を空間から排出する排気口が形成されている。この段差解消部材は、低床面に載置することによって用いられ、これによってほぼバリアフリーを実現することができる。また、この段差解消部材は、強風が吹いた際、その風によって傾斜板が下方に推力を受けてめくれ上がり難く、これにより床パネルユニットの飛散を防止することもできる。
【０００５】
【特許文献１】特開２０００−２４８７２１号公報
【特許文献２】特開２００１−３５４８号公報
【特許文献３】特開２００３−５６１６６号公報
【発明の開示】
【発明が解決しようとする課題】
【０００６】
しかし、上記特許文献１、２開示の段差解消部材は、強風によってめくれ上がり難くするために傾斜面の傾斜角を極めて小さく設定しなければならず、そのために傾斜板の幅が大きなものとなってしまう。このように傾斜板の幅が大きな段差解消部材は、段差を解消するために大きな面積の低床面を必要とし、低床面の面積がさほど大きくない場合には用い得ないものとなってしまう。
【０００７】
また、上記特許文献３開示の段差解消部材は、風を傾斜板の下方の空間に流入させるために傾斜板が低床面との間に隙間を形成しており、低床面と傾斜面の下端との間に隙間分の段差を残存させてしまう。この場合、僅かながらもバリアフリーが損なわれてしまう。かといって、常態において風が傾斜面の下方の空間内に入るようにしておかないと、僅かな風でも段差解消部材がめくれ上がってしまう。
【０００８】
本発明は、上記従来の実情に鑑みてなされたものであって、段差を解消するために大きな面積の低床面を必要とせず、よりバリアフリーを実現可能であるとともに、風によってめくれ上がり難い段差解消部材を提供することを解決すべき課題としている。
【課題を解決するための手段】
【０００９】
本発明の段差解消部材は、低い床面である低床面と高い床面である高床面とが段差を有する場合、該高床面側から該低床面側に向かって下り傾斜する傾斜面を備えた段差解消部材において、
前記傾斜面の下方には、前記高床面に向かう後方ほど容積が大きくなり、背後が開放された空間が形成され、
該傾斜面は、前端に切り欠かれて前記低床面との間で開口を形成し、風を該空間に案内する通気口と、該通気口より後方に貫設され、風を該空間から排出する排気口とを有することを特徴とする。
【００１０】
本発明の段差解消部材は低床面に載置することによって用いられる。これにより、傾斜面が段差を低床面側に向かって徐々に小さくする。傾斜面は、低床面との間で開口を形成する通気口が前端に切り欠かれているだけであり、段差をほぼ解消する。こうして、この段差解消部材はバリアフリーをほぼ実現することができる。
【００１１】
この際、この段差解消部材は、傾斜面の傾斜角に制限がないことから、必ずしも傾斜面の幅が大きなものとはならず、段差を解消するために大きな面積の低床面を必要としない。このため、この段差解消部材は低床面の面積がさほど大きくない場合にも用い得る。
【００１２】
また、この段差解消部材では、風が通気口から傾斜面の下方の空間に流入する。その空間は高床面に向かう後方ほど容積が大きくなっていることから、空間内に流入した風は後方に向かう程失速する。このような空間は傾斜面の傾斜によって自然に形成されている。また、その空間は、背後が開放されているとともに、傾斜面に形成された排気口によっても開放されているため、風は、空間内の圧力を高めることなく、背後に流出するとともに排気口から排出される。こうして、この段差解消部材は、風によって余分な力が作用しないことから、めくれ上がり難い。
【００１３】
したがって、本発明の段差解消部材は、段差を解消するために大きな面積の低床面を必要とせず、よりバリアフリーを実現可能であるとともに、風によってめくれ上がり難いという優れた効果を発揮することができる。
【００１４】
本発明の段差解消部材では、排気口は後方に向かう程開口面積が大きいことが好ましい。これにより、空間内に流入した風が後方に向かう程排気口から排気されやすく、段差解消部材がより一層めくれ上がり難くなる。
【００１５】
排気口は、傾斜方向に直交する方向に貫設されていることもできるが、低床面に直交する方向に貫設されていることが好ましい。排気口が低床面に直交する方向に貫設されていれば、空間内に流入した風は垂直に排出され、その際に水平に推力が作用するだけであり、段差解消部材がより一層めくれ上がり難くなる。排気口が排気によって下方への推力を生じるように形成されていることが好ましい。
【００１６】
本発明の段差解消部材は、複数枚のパネルと、各パネルの裏面に設けられて各パネルを整列状態で連結する連結部とからなる床パネルユニットによって高床面が形成される場合、傾斜面を形成する傾斜板は、両端の側板と、背面を形成する背板とともに一体に形成され、背面が連結部に着脱可能に構成されていることが好ましい。これにより段差解消部材を床パネルユニットに連結でき、段差解消部材と床パネルユニットとを一体化できる。
【００１７】
側板は互いに着脱可能に構成されていることが好ましい。これにより複数の段差解消部材を長さ方向で互いに連結でき、広い面積でバリアフリーを実現することができる。
【発明を実施するための最良の形態】
【００１８】
以下、本発明を具体化した実施例１、２を図面を参照しつつ説明する。
【実施例１】
【００１９】
実施例１の段差解消部材は、図１〜３に示すように、長さ方向に連結されたほぼ同一形状の３つのブロック１〜３によって構成されている。
【００２０】
各ブロック１〜３は、長さ方向の両端に略直角三角形形状の側板４、５を有しており、各対の側板４、５の長辺側が床面に当接する底面とされている。ブロック１、２及びブロック２、３の各々の側板５と側板４とは底面と平行な板状の３本の連結部６によって連結され、これら連結部６によって各ブロック１〜３が長さ方向に一体になっている。
【００２１】
各ブロック１〜３は、図２〜４に示すように、対をなす側板４、５の短辺側に背面を形成する背板７を有している。また、各ブロック１〜３は、図１、図２及び図４に示すように、各々の側板４、５の斜辺側及び背板７の上端側に側板４、５及び背板７と一体に傾斜板８を有している。
【００２２】
図４に示すように、傾斜板８の上面が背板７の上端から側板４、５の前端に向かって下り傾斜する傾斜面８ａになっている。傾斜板８の下方には、背板７に向かう後方ほど容積が大きくなる空間９が傾斜板８の傾斜によって自然に形成されている。背板７は、図２及び図３にも示すように、支柱７ａの左右に開口７ｂを有しており、両開口７ｂによって空間９は背後に開放されている。
【００２３】
また、図１及び図４に示すように、傾斜板８の前端には二箇所で切り欠かれて床面との間で開口を形成し、風を空間９に案内する通気口８ｂが形成されている。
【００２４】
さらに、傾斜板８には、図１、図２及び図４に示すように、通気口８ｂより後方に第１排気口８ｃが貫設され、第１排気口８ｃより後方に第２排気口８ｄが貫設され、第２排気口８ｄより後方に第３排気口８ｅが貫設され、第３排気口８ｅより後方に第４排気口８ｆが貫設されている。第１〜３排気口８ｃ、８ｄ、８ｅは、各々同一幅で垂直に貫設され、長さ方向に平行に延びている。一方、第４排気口８ｆは、第１〜３排気口８ｃ、８ｄ、８ｅの幅よりも大きく幅方向に延びる７本のリブ８ｇによって８個に仕切られており、これにより８個の第４排気口８ｆの合計の開口面積は各第１〜３排気口８ｃ、８ｄ、８ｅの開口面積よりも大きくなっている。各第４排気口８ｆも垂直に貫設されている。
【００２５】
また、傾斜面８ａには、通気口８ｂと第１排気口８ｃとの間と、第１排気口８ｃと第２排気口８ｄとの間と、第２排気口８ｄと第３排気口８ｅとの間とに長さ方向に延びる凹部８ｈが凹設されている。
【００２６】
図１及び図２に示すように、ブロック１の側板４には、前方に位置する係合凸部４ａと、後方に位置する係合凹部４ｂとが突設されている。また、図３に示すように、ブロック３の側板５には、前方に位置する係合凹部５ｂと、後方に位置する係合凸部５ａとが突設されている。係合凸部４ａ及び係合凹部４ｂは長さ方向で隣り合う他の段差解消部材の係合凹部５ｂ及び係合凸部５ａと係合できるようになっている。
【００２７】
また、図２〜４に示すように、各ブロック１〜３の背板７には、開口７ｂの左側に係合凸部７ｃが突設され、開口７ｂの右側に係合凹部７ｄが突設されている。これら係合凸部７ｃ及び係合凹部７ｄは、後述する床タイルユニット１０（１０ａ、１０ｂ）の連結部１１の係合凹部１１ｄ及び係合凸部１１ｃと係合できるようになっている。
【００２８】
図３に示すように、各ブロック１〜３内には傾斜板８の裏面から垂直に延びる複数本のリブ２０ａ、２０ｂが形成されている。両側板４、５近くのリブ２０ａは床面に当接するようになっており、それらリブ２０ａによって空間９が形成されている。他のリブ２０ｂは床面に当接するまでは延びていない。
【００２９】
以上のように構成された段差解消部材は、ベランダやバルコニー等の床面に図５及び図６に示す床タイルユニット１０（１０ａ、１０ｂ）を載置することにより段差Ｄが生じる場合に用いられる。床タイルユニット１０（１０ａ、１０ｂ）は、９枚の正方形のタイル１２（１２ａ、１２ｂ）と、各タイル１２（１２ａ、１２ｂ）の裏面に設けられて各タイル１２（１２ａ、１２ｂ）を縦３枚及び横３枚の正方形になるように整列状態で連結する連結部１１とからなる。
【００３０】
図５（Ａ）に示す床タイルユニット１０ａは９枚のタイル１２ａが全て無模様のものである。一方、図５（Ｂ）に示す床タイルユニット１０ｂは、外側の一辺に整列する３枚のタイル１２ｂが模様を有するものであり、残りの６枚のタイル１２ａが無模様のものである。タイル１２ｂの模様は四方に対して方向性を有さないものである。
【００３１】
連結部１１は、図６に示すように、各タイル１２（１２ａ、１２ｂ）を固定する本体１１ａと、本体１１ａの四辺から下方に延びる１２組の係合凹部１１ｄ及び係合凸部１１ｃとからなる。各床タイルユニット１０（１０ａ、１０ｂ）は隣り合う床タイルユニット１０（１０ａ、１０ｂ）と係合凹部１１ｄ及び係合凸部１１ｃによって互いに連結されるようになっている。また、各床タイルユニット１０（１０ａ、１０ｂ）の下方には、各係合凹部１１ｄ及び各係合凸部１１ｃによって吹き抜けの空間１１ｂが形成されている。
【００３２】
ベランダ等の床面にこれらの床タイルユニット１０（１０ａ、１０ｂ）を設けた場合、ベランダ等の上面が低床面３０ａを構成し、床タイルユニット１０（１０ａ、１０ｂ）の上面が高床面３０ｂを構成する。この際、図９に示すように、２種類の床タイルユニット１０ａ、１０ｂを用いるだけで多くのコーディネートされた施工面を実現することができる。
【００３３】
この段差解消部材は、図４に示すように、低床面３０ａに載置することによって用いられる。この際、図７に示すように、係合凸部７ｃ及び係合凹部７ｄが床タイルユニット１０（１０ａ、１０ｂ）の連結部１１の係合凹部１１ｄ及び係合凸部１１ｃと係合されて床タイルユニット１０（１０ａ、１０ｂ）に連結され、段差解消部材とタイルユニット１０（１０ａ、１０ｂ）とが一体化される。また、図８及び図９に示すように、長さ方向で隣り合う段差解消部材が係合凸部４ａ及び係合凹部４ｂにより係合されて連結される。
【００３４】
そして、各段差解消部材は、傾斜面８ａが段差Ｄを低床面３０ａ側に向かって徐々に小さくする。傾斜面８ａは、低床面３０ａとの間で開口を形成する通気口８ｂが前端に切り欠かれているだけであり、段差Ｄをほぼ解消する。こうして、各段差解消部材は広い面積でバリアフリーをほぼ実現することができる。傾斜面８ａは凹部８ｈによって粗面化されているため、傾斜面８ａによる滑りも防止可能である。
【００３５】
この際、各段差解消部材は、傾斜面８ａの傾斜角に制限がないことから、必ずしも傾斜面８ａの幅が大きなものとはならず、段差Ｄを解消するために大きな面積の低床面３０ａを必要としない。このため、各段差解消部材は低床面３０ａの面積がさほど大きくない場合にも用い得る。
【００３６】
また、各段差解消部材では、風が通気口８ｂから空間９に流入する。各空間９は高床面３０ｂに向かう後方ほど容積が大きくなっていることから、空間９内に流入した風は後方に向かう程失速する。また、各空間９は、背後が開口７ｂによって開放されているとともに、傾斜板８に形成された第１〜４排気口８ｃ、８ｄ、８ｅ、８ｆによっても開放されているため、風は、空間９内の圧力を高めることなく、背後に流出するとともに第１〜４排気口８ｃ、８ｄ、８ｅ、８ｆから排出される。この際、各段差解消部材では、空間９内に流入した風が第１〜３排気口８ｃ、８ｄ、８ｅの後方のリブ２０ｂに当たって第１〜３排気口８ｃ、８ｄ、８ｅから排出される。なお、図４では、他のリブ２０ｂの図示を省略している。こうして、各段差解消部材は、風によって余分な力が作用しないことからめくれ上がり難い。
【００３７】
特に、各段差解消部材では、第４排気口８ｆが各第１〜３排気口８ｃ、８ｄ、８ｅよりも大きな開口面積を有していることから、空間９内に流入した風が第４排気口８ｆから排気されやすく、段差解消部材がより一層めくれ上がり難い。また、第１〜４排気口８ｃ、８ｄ、８ｅ、８ｆは垂直に貫設されているため、空間９内に流入した風は垂直に排出され、その際に水平に推力が作用するだけであり、段差解消部材がより一層めくれ上がり難い。
【００３８】
また、各段差解消部材は傾斜板８が側板４、５及び背板７とともに一体に形成され、各段差解消部材の下方の空間９とタイルユニット１０（１０ａ、１０ｂ）の下方の空間１１ｂとが段差解消部材の背板７に設けられた開口７ｂを介して連通されている。そして、各段差解消部材の空間９から背後に抜けた風は床タイルユニット１０（１０ａ、１０ｂ）の空間１１ｂも抜ける。このため、空間９に入った空気が空間１１ｂまで広がって分散され、風による余分な力が作用しないことから、床タイルユニット１０（１０ａ、１０ｂ）及び段差解消部材がめくり難い。
【００３９】
こうして、床タイルユニット１０（１０ａ、１０ｂ）の飛散が効果的に防止される。
【００４０】
したがって、この段差解消部材は、段差Ｄを解消するために大きな面積の低床面３０ａを必要とせず、よりバリアフリーを実現可能であるとともに、風によってめくれ上がり難いという優れた効果を発揮することができる。
【実施例２】
【００４１】
実施例２の段差解消部材は、図１０に示すように、第１〜４排気口８ｃ’、８ｄ’、８ｅ’、８ｆ’が前方から後方に向かって上昇する方向で貫設されている。他の構成は実施例１と同一である。
【００４２】
この段差解消部材によれば、空間９内の風が排気の際に段差解消部材を下方に押し付けるような推力を生じるため、より一層めくれ上がり難いという効果を生じる。他の作用効果は実施例１と同様である。
【００４３】
本願には、特許請求の範囲に記載した発明以外に以下の発明が包含されている。
複数枚のパネルと、各該パネルの裏面に設けられて各該パネルを整列状態で連結する連結部とからなるパネルユニットにおいて、
前記各パネルは、正方形であり、縦方向と横方向とが同数で正方形に整列され、外側の一辺に整列する各該パネルは四方に対して方向性のない模様を有し、残余の各該パネルは無模様のものであることを特徴とするパネルユニット。
【００４４】
この別発明のパネルユニットは、次の通常のパネルユニットとともに用いられ得る。通常のパネルユニットは、複数枚のパネルと、各該パネルの裏面に設けられて各該パネルを整列状態で連結する連結部とからなるパネルユニットにおいて、前記各パネルは、正方形であり、縦方向と横方向とが同数で正方形に整列され、全ての各該パネルが無模様のものである。この別発明のパネルユニットは、通常のパネルユニットとともに、多くのコーディネートされた施工面を実現することができる。
【産業上の利用可能性】
【００４５】
本発明の段差解消部材は、ベランダ、バルコニー等に設けられ、バリアフリーを実現するために利用可能である。
【図面の簡単な説明】
【００４６】
【図１】実施例１の段差解消部材を斜め前方の上方から見た斜視図である。
【図２】実施例１の段差解消部材を斜め後方の上方から見た斜視図である。
【図３】実施例１の段差解消部材を斜め後方の下方から見た斜視図である。
【図４】実施例１の段差解消部材の要部断面図である。
【図５】床タイルユニットを示し、図（Ａ）は第１種類の床タイルユニットの平面図、図（Ｂ）は第２種類の床タイルユニットの平面図である。
【図６】床タイルユニットの要部側面図である。
【図７】実施例１の段差解消部材及び床タイルユニットの一部断面の側面図である。
【図８】実施例１の段差解消部材及び床タイルユニットを斜め前方から見た斜視図である。
【図９】実施例１の段差解消部材及び床タイルユニットの平面図である。
【図１０】実施例２の段差解消部材の要部断面図である。
【符号の説明】
【００４７】
３０ａ…低床面
３０ｂ…高床面
Ｄ…段差
８ａ…傾斜面
９…空間
８ｂ…通気口
８ｃ、８ｄ、８ｅ、８ｆ、８ｃ’、８ｄ’、８ｅ’、８ｆ’…排気口（８ｃ、８ｃ’…第１排気口、８ｄ、８ｄ’…第２排気口、８ｅ、８ｅ’…第３排気口、８ｆ、８ｆ’…第４排気口）
１２、１２ａ、１２ｂ…パネル（タイル）
１１…連結部
１０…床パネルユニット（床タイルユニット）
４、４…側板
７…背板
【図１】
2005256501.tif 000003
【図２】
2005256501.tif 000004
【図３】
2005256501.tif 000005
【図４】
2005256501.tif 000006
【図５】
2005256501.tif 000007
【図６】
2005256501.tif 000008
【図７】
2005256501.tif 000009
【図８】
2005256501.tif 000010
【図９】
2005256501.tif 000011
【図１０】
2005256501.tif 000012